(57)【要約】  【課題】操作表示部を備えた扉の意匠性、操作性を高めるとともに、組立て性、サービス性に優れた冷蔵庫を提供する。  【解決手段】操作表示部３５を収納し操作表示部３５を含めた側面蓋体３９の前面を覆うカバー５１を有し、カバー５１の前面には化粧板５２を、上蓋体３７と下蓋体３８に接するように連続して配置するように固定し、化粧板５２は透明樹脂で成形され裏面５８に鏡面加工を施しているので、操作表示部を備えた冷蔵庫の扉のスッキリ感、統一性が得られ、扉全体の意匠性が高まる。【選択図】図１
2005326061.tif 000002
【特許請求の範囲】
【請求項１】
外板と、内板と、上蓋体と、下蓋体と、側面蓋体とからなる空間に充填発泡された断熱材とで構成される扉を備えた冷蔵庫において、前記側面蓋体の前面を覆う化粧板を有し、前記化粧板は前記上蓋体と下蓋体に連続して配置し、前記化粧板は鏡面加工を施したことを特徴とする冷蔵庫。
【請求項２】
上下に複数の扉を備え、前記複数の扉の側面蓋体の前面を覆う化粧板を最上部から最下部まで直線的に同一幅で構成したことを特徴とする請求項１に記載の冷蔵庫。
【請求項３】
扉の側面蓋体に操作表示部を備え、前記操作表示部を前面より覆うカバーを有し、前記カバーの前面に鏡面加工を施した化粧板を設けたことを特徴とする請求項１または２に記載の冷蔵庫。
【請求項４】
操作表示部および鏡面加工を施した化粧板をあらかじめカバーに取り付け、断熱材充填発泡後に前記カバーの裏面に下方に突設したツメにより側面蓋体に取り付けたことを特徴とする請求項３に記載の冷蔵庫。
【請求項５】
操作表示部の表示部に対向してカバーに開口部を備え、前記開口部に透光性シートを配置するとともに、化粧板の前記開口部に対向した部分は鏡面加工を施さず透光性としたことを特徴とする請求項３または４に記載の冷蔵庫。
【請求項６】
操作表示部の操作部に対向してカバーに開口部を設け、前記開口部に操作ボタンを配置するとともに、化粧板の前記開口部に対向した部分は孔を設けたことを特徴とする請求項３から５のいずれか一項に記載の冷蔵庫。
【請求項７】
側面蓋体に嵌合する外板は上端から下端まで連続するＬ字曲げ部を形成し、側面蓋体と内板嵌合部近傍に補強部材を配置したことを特徴とする請求項１から６のいずれか一項に記載の冷蔵庫。
【発明の詳細な説明】
【技術分野】
【０００１】
本発明は、扉の意匠性および操作性を高める冷蔵庫に関するものである。
【背景技術】
【０００２】
近年、扉表面に冷蔵庫の温度等を操作する操作部分を取付けた冷蔵庫がある（例えば特許文献１参照）。
【０００３】
以下、図面を参照しながら上記従来の冷蔵庫を説明する。
【０００４】
図７は特許文献１に記載された従来の冷蔵庫の扉を示す正面図である。図８は、図７のＡ−Ａ断面図である。図９は操作表示部の分解斜視図である。図１０は、図７のＢ−Ｂ断面図である。
【０００５】
図７、８、９、１０において、１は冷蔵庫本体であり、上段から冷蔵室２、野菜室３、室内温度切替えが可能な切替え室４、冷凍室５、製氷室６を備えている。
【０００６】
冷蔵室扉７はヒンジ式の開閉可能な扉で、野菜室３、切替え室４、冷凍室５、製氷室６の前面には引出し扉８、９、１０、１１が設けられている。ハンドル１２は冷蔵室２の扉３に設けられ、ハンドル１２の高さ方向上方に設けられた操作表示部１３を備えている。１４は鋼板性の外板で、蓋体１５、１６は外板１４の上下両端部に嵌め込まれている。内板１７は外板１４の後方に配されている。断熱材１８は外板１４、蓋体１５、１６、内板１７の間に充填され一体発泡される。
【０００７】
楕円部１９は外板１４に形成されており、折り曲げ部２０は楕円部１９の一部に形成されている。平面部２１は楕円部１９の円縁部に形成されている。収納部２２は樹脂で形成され、外板１４の裏面から係合し断熱材１８と一体発泡される。リブ２３は収納部２２に一体に成形され、固定溝２４は折り曲げ部２０を固定するためのものである。基板２５の表面をボタン押圧部２６、表面カバー２７で覆っている。
【特許文献１】特開２００２−３１４７１号公報
【発明の開示】
【発明が解決しようとする課題】
【０００８】
しかしながら、上記従来の構成では、表示カバーを左端に配置した構成を持つ冷蔵庫扉の具体的な取付け構造を提案できず、このような構成を取ろうとすると、基板収納部の取付けが複雑になり、表示カバーと上蓋体と下蓋体と化粧板の間の隙間を解消することができず、組立て性は低下し、また液晶操作部のサービス交換時に、表示カバーを傷つける恐れがある。
【０００９】
本発明は、上記従来の課題を解決するもので、意匠性、操作性を高めるとともに、組立て性、サービス性に優れた冷蔵庫を提供することを目的とする。
【課題を解決するための手段】
【００１０】
上記従来の課題を解決するために、本発明の冷蔵庫は、外板と、内板と、上蓋体と、下蓋体と、側面蓋体とからなる空間に充填発泡された断熱材とで構成される扉を備えた冷蔵庫において、前記側面蓋体の前面を覆う化粧板を有し、前記化粧板は前記上蓋体と下蓋体に連続して配置し、前記化粧板は鏡面加工を施したものである。
【００１１】
これにより、鏡面加工を施した化粧板が扉の上端から下端まで連続して形成することで冷蔵庫の扉のスッキリ感、統一性が得られる。
【００１２】
また、操作表示部および鏡面加工を施した化粧板をあらかじめカバーに取り付け、断熱材充填発泡後に前記カバーの裏面に下方に突設したツメにより側面蓋体に取り付けたものである。
【００１３】
これにより、扉の組立作業性、着脱性が向上する。
【発明の効果】
【００１４】
本発明の冷蔵庫は、扉のスッキリ感、統一性が得られ、扉のみならず冷蔵庫全体の意匠性が高まる。
【００１５】
また、扉の組立作業性が向上することで、コスト低減が図れるとともに、着脱性が向上することで、サービス性が向上する。
【発明を実施するための最良の形態】
【００１６】
請求項１に記載の発明は、外板と、内板と、上蓋体と、下蓋体と、側面蓋体とからなる空間に充填発泡された断熱材とで構成される扉を備えた冷蔵庫において、前記側面蓋体の前面を覆う化粧板を有し、前記化粧板は前記上蓋体と下蓋体に連続して配置し、前記化粧板は鏡面加工を施したものであり、扉のスッキリ感、統一性が得られ、扉の意匠性が高まる。
【００１７】
請求項２に記載の発明は、請求項１に記載の発明において、上下に複数の扉を備え、前記複数の扉の側面蓋体の前面を覆う化粧板を最上部から最下部まで直線的に同一幅で構成したものであり、扉のスッキリ感、統一性が得られ、扉のみならず冷蔵庫全体の意匠性が高まる。
【００１８】
請求項３に記載の発明は、請求項１または２に記載の発明において、扉の側面蓋体に操作表示部を備え、前記操作表示部を前面より覆うカバーを有し、前記カバーの前面に鏡面加工を施した化粧板を設けたものであり、操作表示部を備えた扉のスッキリ感、統一性が得られ、扉の意匠性が高まる。
【００１９】
請求項４に記載の発明は、請求項３に記載の発明において、操作表示部および鏡面加工を施した化粧板をあらかじめカバーに取り付け、断熱材充填発泡後に前記カバーの裏面に下方に突設したツメにより側面蓋体に取り付けたものであり、扉の組立作業性が向上することで、コスト低減が図れるとともに、着脱性が向上することで、サービス性が向上する。
【００２０】
請求項５に記載の発明は、請求項３または４に記載の発明において、操作表示部の表示部に対向してカバーに開口部を備え、前記開口部に透光性シートを配置するとともに、化粧板の前記開口部に対向した部分は鏡面加工を施さず透光性としたものであり、操作表示部の表示部を含めた扉のスッキリ感、統一性が得られ、扉全体の意匠性が高まる。
【００２１】
請求項６に記載の発明は、請求項３から５のいずれか一項に記載の発明において、操作表示部の操作部に対向してカバーに開口部を設け、前記開口部に操作ボタンを配置するとともに、化粧板の前記開口部に対向した部分は孔を設けたものであり、操作表示部の操作部を含めた扉のスッキリ感、統一性が得られ、扉全体の意匠性が高まる。
【００２２】
請求項７に記載の発明は、請求項１から６のいずれか一項に記載の発明において、側面蓋体に嵌合する外板は上端から下端まで連続するＬ字曲げ部を形成し、側面蓋体と内板嵌合部近傍に補強部材を配置したものであり、扉の強度を向上させることができ、温度変化や長期使用下での扉の変形を防止することができる。
【００２３】
以下、本発明の実施の形態について、図面を参照しながら説明する。なお、この実施の形態によってこの発明が限定されるものではない。
【００２４】
（実施の形態１）
図１は本発明の実施の形態１における冷蔵庫の正面図である。図２は、同実施の形態の冷蔵庫の冷蔵室扉の分解斜視図である。図３は、図１のＡ−Ａ断面図である。図４は、図１のＢ−Ｂ断面図である。図５は、同実施の形態の冷蔵庫の操作表示部の要部分解斜視図である。図６は、図１のＣ−Ｃ断面図である。
【００２５】
図１において、２８は冷蔵庫本体で、上段から冷蔵室２９、庫内を０℃前後に設定する微凍室３０、冷凍室３１が設けられている。
【００２６】
冷蔵室２９、微凍室３０、冷凍室３１にはヒンジ式の開閉可能な冷蔵室扉３２、微凍室扉３３、冷凍室扉３４が設けられている。また、冷蔵室扉３２の前面には冷蔵庫２８の運転状態を操作あるいは表示する操作表示部３５を有している。
【００２７】
次に、冷蔵室扉３２の構造について説明する。
【００２８】
冷蔵室扉３２は鋼鈑製の外板３６と、外板３６の上下両端部に嵌め込まれた上蓋体３７、下蓋体３８と、回転式の冷蔵室扉３２の回転軸（ヒンジ）と逆側の側面蓋体３９と、外板３６の後方に配される内板４０とより構成される。
【００２９】
そして、外板３６の側面蓋体３９に嵌合する外板３６は上端から下端まで連続するＬ字曲げ部４１を形成し、側面蓋体３９と外板３６とを挟む接続部品４２が設けられている。接続部品４２には溝４３が設けられ前記側面蓋体３９と前記外板３６のＬ字曲げ部４１が挿入される。上蓋体３７と下蓋体３８は、組み込まれた側面蓋体３９と外板３６と接続部品４２とを挟みこみ固定される。そして外板３６、上蓋体３７、下蓋体３８、側面蓋体３９、内板４０とで形成した空間に断熱材４４が充填発泡される。なお、側面蓋体３９と内板４０の嵌合部近傍には補強部材４５を配置している。また、側面蓋体３９の略中央部には凹部３９ａを設け、操作表示部３５を収納する。
【００３０】
操作表示部３５は、基板４６と、周囲を液晶ホルダー４７で保持された液晶パネル４８と、基板４６上に配置したスイッチを押圧する操作ボタン４９を備えた操作部材５４とよりなり、液晶パネル４８の前面には透光性の液晶部シート５０を配置する。そして、操作表示部３５を含めた側面蓋体３９の前面を覆うカバー５１を有し、カバー５１の前面には化粧板５２を、上蓋体３７と下蓋体３８に接するように連続して配置するように両面テープにより貼り付け固定し、化粧板５２は透明樹脂で成形され裏面５７（カバー５１側）に鏡面加工を施している。
【００３１】
また、カバー５１の裏面（側面蓋体３９側）には下方に突設した複数のツメ５６を設けている。
【００３２】
また、操作表示部３５の表示部３５ａに対向してカバー５１に開口部５１ａを設け、前記開口部５１ａに透光性の液晶部シート５０を配置するとともに、化粧板５２の開口部５１ａに対向した部分は鏡面加工を施さず透光性としている。
【００３３】
また、操作表示部３５の操作部３５ｂに対向してカバー５１に開口部５１ｂを設け、開口部５１ｂに複数のボタンを一体に成形したそれぞれの操作ボタン４９を配置している。そしてカバー５１の前面に設けた化粧板５２の開口部５１ｂおよび操作ボタン４９に対向した部分は孔５５を設けている。
【００３４】
また、透明樹脂で成形され裏面５７（カバー５１側）に鏡面加工を施した化粧板５２は冷蔵室扉３２と、下方に備えた微凍室扉３３、冷凍室扉３４にも同様に設け、冷蔵庫２８の最上部から最下部まで直線的に同一幅で構成している。
【００３５】
また、液晶部シート５０にはボス５０ａを、操作ボタン４９を備えた操作部材５４にはボス５４ｂを備え、ボス５０ａおよびボス５４ｂに対向するカバー５１の裏面には固定ボス５８、５９を一体に形成している。
【００３６】
上記構成において、カバー５１に、透光性の液晶部シート５０のボス５０ａを固定ボス５８に嵌合させ、さらに操作ボタン４９を備えた操作部材５４のボス５４ｂを固定ボス５９に嵌合させ、その後、基板４６と一体に構成した周囲を液晶ホルダー４７で保持した液晶パネル４８の組体をビスにてカバー５１に固定する。そしてカバー５１の表面側には鏡面加工を施した化粧板５２を両面テープで固定する。
【００３７】
上記一体化したカバー５１の組体を、外板３６、上蓋体３７、下蓋体３８、側面蓋体３９、内板４０とで形成した空間に断熱材４４が充填発泡された冷蔵室扉３２の側面蓋体３９の前面を覆うように取り付ける。このとき、カバー５１に設けている下方に突設した複数のツメ５６により前面より装着し、その後、下方に移動することでツメ５６が側面蓋体３９の穴（図示せず）に嵌合し固定される。そして、その後、カバー５１の天面からビスにより固定する。
【００３８】
以上、説明したように、本発明の実施の形態では、断熱材４４が充填発泡された冷蔵室扉３２の側面蓋体３９の前面を覆うように取り付けたカバー５１の表面側には鏡面加工を施した化粧板５２を上蓋体３７と下蓋体３８に接するように連続して配置しているので、扉のスッキリ感、統一性が得られ、扉の意匠性が高まる。
【００３９】
また、透明樹脂で成形され裏面５７に鏡面加工を施した化粧板５２は冷蔵室扉３２と、下方に備えた微凍室扉３３、冷凍室扉３４にも同様に設け、冷蔵庫２８の最上部から最下部まで直線的に同一幅で構成しているので、上下に複数の扉を備えた冷蔵庫において、扉のスッキリ感、統一性が得られ、扉のみならず冷蔵庫全体の意匠性が高まる。
【００４０】
また、側面蓋体３９の略中央部には凹部３９ａを設け、操作表示部３５を収納し操作表示部３５を含めた側面蓋体３９の前面を覆うカバー５１を有し、カバー５１の前面には化粧板５２を、上蓋体３７と下蓋体３８に接するように連続して配置するように両面テープにより貼り付け固定し、化粧板５２は透明樹脂で成形され裏面５８に鏡面加工を施しているので、操作表示部を備えた冷蔵庫の扉のスッキリ感、統一性が得られ、扉全体の意匠性が高まる。
【００４１】
また、操作表示部３５および鏡面加工を施した化粧板５２をあらかじめカバー５１に取り付け、断熱材充填発泡後にカバー５１の裏面に下方に突設したツメ５６により側面蓋体３９に取り付けることにより、扉の組立作業性が向上し、コスト低減が図れるとともに、カバー５１組品の着脱性が向上することで、サービス性が向上する。
【００４２】
また、操作表示部３５の表示部３５ａに対向してカバー５１に開口部５１ａを設け、前記開口部５１ａに透光性の液晶部シート５０を配置するとともに、化粧板５２の開口部５１ａに対向した部分は鏡面加工を施さず透光性としているので、操作表示部３５の表示部３５ａを含めた扉のスッキリ感、統一性が得られ、扉全体の意匠性が高まる。
【００４３】
また、操作表示部３５の操作部３５ｂに対向してカバー５１に開口部５１ｂを設け、開口部５１ｂに複数のボタンを一体に成形したそれぞれの操作ボタン４９を配置し、カバー５１の前面に設けた化粧板５２の開口部５１ｂおよび操作ボタン４９に対向した部分は孔５５を設けているので、操作表示部３５の操作部３５ｂを含めた扉のスッキリ感、統一性が得られ、扉全体の意匠性が高まる。
【００４４】
また、外板３６の側面蓋体３９に嵌合する外板３６は上端から下端まで連続するＬ字曲げ部４１を形成し、さらに側面蓋体３９と内板４０の嵌合部近傍には補強部材４５を配置しているので、扉の強度を向上させることができ、温度変化や長期使用下での扉の変形を防止することができる。
【００４５】
なお、本実施の形態では、鏡面加工は化粧板５２の裏面５７に形成したもので説明したが、表面、あるいは中間層に形成してもよい。
【産業上の利用可能性】
【００４６】
以上のように、本発明にかかる冷蔵庫は、扉のスッキリ感、統一性が得られ、扉のみならず冷蔵庫全体の意匠性が高まるので、操作表示部を備えた冷却貯蔵庫等の用途にも適用できる。
【図面の簡単な説明】
【００４７】
【図１】本発明の実施の形態１における冷蔵庫の正面図
【図２】同実施の形態の冷蔵庫の冷蔵室扉の分解斜視図
【図３】図１のＡ−Ａ線断面図
【図４】図１のＢ−Ｂ線断面図
【図５】同実施の形態の冷蔵庫の操作表示部の要部分解斜視図
【図６】図１のＣ−Ｃ線断面図
【図７】従来の冷蔵庫の正面図
【図８】図７のＤ−Ｄ断面図
【図９】従来の冷蔵庫の操作表示部の分解斜視図
【図１０】図７のＥ−Ｅ断面図
【符号の説明】
【００４８】
２８  冷蔵庫
３２  冷蔵室扉
３５  操作表示部
３５ａ  表示部
３５ｂ  操作部
３６  外板
３７  上蓋体
３８  下蓋体
３９  側面蓋体
４０  内板
４１  Ｌ字曲げ部
４４  断熱材
４５  補強鉄板
４８  液晶パネル
４９  操作ボタン
５０  液晶部シート
５１  カバー
５１ａ、５１ｂ  開口部
５２  化粧板
５５  孔
５６  ツメ
【図１】
2005326061.tif 000003
【図２】
2005326061.tif 000004
【図３】
2005326061.tif 000005
【図４】
2005326061.tif 000006
【図５】
2005326061.tif 000007
【図６】
2005326061.tif 000008
【図７】
2005326061.tif 000009
【図８】
2005326061.tif 000010
【図９】
2005326061.tif 000011
【図１０】
2005326061.tif 000012